【手続補正書】
【提出日】平成28年8月30日(2016.8.30)
【手続補正１】
【補正対象書類名】特許請求の範囲
【補正対象項目名】請求項１
【補正方法】変更
【補正の内容】
【請求項１】
縦方向及び横方向を有し、前ウエスト域と、後ウエスト域と、前記前後ウエスト域間に位置するクロッチ域と、前記クロッチ域から前記縦方向へ延びる吸収体と、前記前後ウエスト域の両側縁部を連結することによって画定されるウエスト開口と一対のレッグ開口と、前記クロッチ域に配置された排尿の有無を識別可能なインジケータ手段とを含むパンツ型の着用物品において、
前記前ウエスト域及び前記クロッチ域の外面には、着色された繊維不織布から形成された外層シートが位置し、
前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、
前記インジケータ手段は、前記クロッチ域において前記吸収体と前記外層シートとの間であって、前記横方向へ延びる弾性体が配置されておらず、かつ、外観視において前記第１有色域よりも色の濃度が低い第２有色域に位置し、
前記インジケータ手段における尿接触後の色変化を前記外層シートの外側から視認することができることを特徴とする着用物品。
【手続補正２】
【補正対象書類名】特許請求の範囲
【補正対象項目名】請求項８
【補正方法】変更
【補正の内容】
【請求項８】
前記前ウエスト域の前記外端部に位置する前記第１領域と、前記前ウエスト域の前記内端部に位置する第２領域と、前記第１領域と前記第２領域との間に位置する第３領域と、前記クロッチ域の前記前ウエスト域側の部分に位置し、かつ、前記レッグ弾性体が配置された第４領域と、前記第２領域と前記第４領域に囲まれた、前記インジケータ手段が位置する第５領域とに区分されており、前記第１領域が他の領域に比して外観視における色の濃度が最も高く、前記第５領域が他の領域に比して最も外観視における色の濃度が最も低い請求項７に記載の着用物品。
【手続補正３】
【補正対象書類名】明細書
【補正対象項目名】０００８
【補正方法】変更
【補正の内容】
【０００８】
本発明は、上記パンツ型の使い捨て着用物品において、前記前ウエスト域及び前記クロッチ域の外面には、着色された繊維不織布から形成された外層シートが位置し、前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、前記インジケータ手段は、前記クロッチ域において前記吸収体と前記外層シートとの間であって、前記横方向へ延びる弾性体が配置されておらず、かつ、外観視において前記第１有色域よりも色の濃度が低い第２有色域に位置し、前記インジケータ手段における尿接触後の色変化を前記外層シートの外側から視認することができる。
【手続補正４】
【補正対象書類名】明細書
【補正対象項目名】００２２
【補正方法】変更
【補正の内容】
【００２２】
既述のとおり、クロッチ域１３の前方区域２１において、吸収体５３と防漏フィルム５６との間には、排尿の有無を母親や着用者自らに知らせるためのインジケータ手段６０が配置される。インジケータ手段６０は、縦方向Ｙにおいて互いに離間して横方向Ｘへ延びる複数のライン状を有し、尿等の体液に濡れると呈色又は変色して外部から視認可能となるインク層とホットメルト接着剤とから形成されているものであって、防漏フィルム５６の吸収体５３との対向面に塗布されている。このように、防漏フィルム５６の吸収体５３との対向面にインジケータ手段６０を配置することによって、それを防漏フィルム５６の外層シート３０との対向面に配置する場合に比して、吸収体５３から滲出した尿に速やかに接触することができ反応性に優れる。ただし、かかる場合には、インジケータ手段６０は、防漏フィルム５６と外層シート３０とを透過して視認されるので、防漏フィルム５６は少なくとも外層シート３０と同等の全光線透過率、すなわち、少なくとも５０％以上の光線透過率（JISK7375に基づく）を有することが必要である。また、外層シート３０と防漏フィルム５６との２層が積層された状態における光線透過率が約４０％以上であることが好ましい。
【手続補正５】
【補正対象書類名】明細書
【補正対象項目名】００２６
【補正方法】変更
【補正の内容】
【００２６】
このように、弾性体の収縮作用によって生じるギャザーの影響や着色シートの積層等によって、均一に着色された外層シート３０の色の濃淡を外観視において識別できる程度に設けることによって、色のグラデーションやコントラストが生じ、意匠性が向上する。また、印刷おいてインク量を調整して色の濃淡を設ける場合に比して、簡易であって、生産コストを抑えることができる。インジケータ手段６０の配置された第５領域６５は、おむつ１０の正面視において外層シート３０を形成する着色された繊維が他の領域と比較的に疎になることによって、色の濃度が低く、インジケータ手段６０の視認性が着色によって妨げられるのを防止することができる。なお、本実施形態において、「外層シート３０の着色された繊維が密になる」とは、各弾性体の収縮作用によって外層シート３０に形成されたギャザー部分において外層シート３０の一部が折り重ねられて、各弾性体が収縮した状態におけるおむつ１０の平面視において、外層シート３０の単位面積当たり（例えば、１．０ｃｍ２）の着色された繊維の質量がギャザーが形成されていない状態に比して高くなることを意味する。
【手続補正６】
【補正対象書類名】明細書
【補正対象項目名】００２９
【補正方法】変更
【補正の内容】
【００２９】
なお、補助シート５１はオプションであるから、第２領域６２に補助シート５１が配置されない場合も考えられる。かかる場合には、第２区域６２と第３区域６３との色の濃度は、ほぼ同等となる。また、第１及び第２レッグ弾性体４５，４６の離間寸法を第２ウエスト弾性体４２と同等にすることも考えられる。したがって、各領域における前ウエスト域１１及び前方区域２１の色の濃度の相関関係は、上記のほかに、第１領域６１＞第２領域６２≒第３領域６３≒第４領域６４＞第５領域６５となる。また、第３領域６３は、その中央部が平面視において吸液構造体１４と重なっていることから、吸液構造体１４が白色等の無彩色のときにはそれが透過して外観視において外層シート３０に着色された色が第３領域６３の両側部に比して薄く視える。
【手続補正７】
【補正対象書類名】明細書
【補正対象項目名】００３１
【補正方法】変更
【補正の内容】
【００３１】
例えば、外層シート３０がピンク色で防漏シート５６及び吸液構造体１４が白色である場合には、インジケータ手段６０の位置する第５領域６５は比較的に外層シート３０の色の濃度が低いことから、防漏シート５６及び吸液構造体１４の白色が透過される。したがって、第１有色域を形成する各域６１〜６４において、濃いピンク色と淡いピンク色が混在して色のグラデーションが生じるほかに、外層シート３０から透過される白色とそれらのピンク色とによってコントラストが形成され、白色の第５領域６５に位置するインジケータ手段６０（例えば、黄色）が外観上より際立って、視認し易くなる。
【手続補正８】
【補正対象書類名】明細書
【補正対象項目名】００４０
【補正方法】変更
【補正の内容】
【００４０】
以上に記載した本発明に関する開示は、少なくとも下記事項に整理することができる。
縦方向及び横方向を有し、前ウエスト域と、後ウエスト域と、前記前後ウエスト域間に位置するクロッチ域と、前記クロッチ域から前記縦方向へ延びる吸収体と、前記前後ウエスト域の両側縁部を連結することによって画定されるウエスト開口と一対のレッグ開口と、前記クロッチ域に配置された排尿の有無を識別可能なインジケータ手段とを含むパンツ型の着用物品において、前記前ウエスト域及び前記クロッチ域の外面には、着色された繊維不織布から形成された外層シートが位置し、前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、
前記インジケータ手段は、前記クロッチ域において前記吸収体と前記外層シートとの間であって、前記横方向へ延びる弾性体が配置されておらず、かつ、外観視において前記第１有色域よりも色の濃度が低い第２有色域に位置し、前記インジケータ手段における尿接触後の色変化を前記外層シートの外側から視認することができる。
【手続補正９】
【補正対象書類名】明細書
【補正対象項目名】００４１
【補正方法】変更
【補正の内容】
【００４１】
上記段落に開示した本発明に係る使い捨て着用物品は、少なくとも下記の実施の形態を含むことができる。
（１）前記外層シートのＪＩＳＫ７３７５に基づく光線透過率は、少なくとも５０％である。
（２）前記吸収体と前記外層シートとの間には、前記吸収体の非肌対向面側に位置するプラスチックフィルムから形成された防漏フィルムが配置されており、前記インジケータ手段は前記吸収体と前記防漏フィルムとの間に位置し、前記防漏フィルムは前記インジケータ手段の変色前後の色と異なる色を有する。
（３）前記前ウエスト域は、前記ウエスト弾性体が配置された、前記ウエスト開口に沿う外端部と前記外端部と前記縦方向において離間対向する内端部とを有し、前記外端部には、前記外層シートが積層された前記前ウエスト域のうちで外面視において最も色の濃い第１領域が画定される。
（４）前記前ウエスト域の前記内端部には、着色された補助シートが配置されており、前記補助シートが前記外層シートと同色又は類似色である。
（５）前記ウエスト弾性体は、前記外端部に配置された複数条の第１ウエスト弾性体と、前記第１ウエスト弾性体よりも前記縦方向の内側に位置する複数条の第２ウエスト弾性体とから構成されており、前記第１ウエスト弾性体どうしの離間寸法よりも前記第２ウエスト弾性体どうしの離間寸法が大きい。
（６）前記前ウエスト域の前記内端部から前記クロッチ域へ凸曲状に延び、前記レッグ開口に沿う一対の曲状部と、前記クロッチ域において前記横方向へ延びる直状部とを有するレッグ弾性体をさらに有し、前記インジケータ手段は、前記一対の曲状部間に位置する。
（７）前記前ウエスト域の前記外端部に位置する前記第１領域と、前記前ウエスト域の前記内端部に位置する第２領域と、前記第１領域と前記第２領域との間に位置する第３領域と、前記クロッチ域の前記前ウエスト域側の部分に位置し、かつ、前記レッグ弾性体が配置された第４領域と、前記第２領域と前記第４領域に囲まれた、前記インジケータ手段が位置する第５領域とに区分されており、前記第１領域が他の領域に比して外観視における色の濃度が最も高く、前記第５領域が他の領域に比して外観視における色の濃度が最も低い。
（８）前記第１〜第５領域の外観視における色の濃度の相関関係が、第１領域≧第２領域≧第４領域≧第３領域＞第５領域である。
（９）前記第２ウエスト弾性体が前記吸収体の存在域において切断又は除去されて非弾性域が形成されており、前記外層シートとの対向面に前記外層シートの外側から視認可能な装飾要素を有する装飾シートが配置される。